(57)【要約】      （修正有）【課題】白板への吸着用に磁石を用いた消去具を提供する。【解決手段】基材４ａに繊維束４ｂを植毛した立毛布帛を払拭体４とした白板用の消去具であって、凹部を有したケース２と、スポンジ部材３の表面３ａに払拭体４を固着した払拭体レフィル５と、摘み部６ａと平坦部６ｂとを有した保持部材６の平坦部６ｂに磁石７を固着した磁石ユニット８とを備え、払拭体レフィル５のスポンジ部材３に形成した開口部３ｂに磁石ユニット８を磁石７が払拭体４に隣接するよう着脱可能に挿着し、ケース２の凹部３ｂに払拭体レフィル５を着脱可能に挿着する。【選択図】図２
2016117204.tif 000002
【特許請求の範囲】
【請求項１】
基材に繊維束を植毛した立毛布帛を払拭体とした白板用の消去具であって、凹部を有したケースと、スポンジ部材の表面に払拭体を固着した払拭体レフィルと、摘み部と平坦部とを有した保持部材の該平坦部に磁石を固着した磁石ユニットとを備え、前記払拭体レフィルのスポンジ部材に形成した開口に前記磁石ユニットを前記磁石が前記払拭体に隣接するよう着脱可能に挿着し、前記ケースの凹部に前記払拭体レフィルを着脱可能に挿着した構造の白板用の消去具。
【請求項２】
前記保持部材の平坦部を強磁性体で形成した請求項１に記載の白板用の消去具。
【発明の詳細な説明】
【技術分野】
【０００１】
本発明は、一般的にホワイトボードと言われる白板の筆記面に筆記されたインキによる筆跡を消去させる白板用の消去具に関する。
【背景技術】
【０００２】
従来より、白板にインキで書き込まれた文宇や図形を払拭する白板用の消去具はよく知られており、例えば特開平８−６７０９６号公報に記載されているように、基材に対して化繊からなる繊維束を植毛した立毛布帛を払拭体とするものが多く、また、消去具の内部に磁石を設けることで、垂直に設置された鉄板製の白板に消去具を磁力で吸着させる構造が広く採用されている。
【０００３】
前述した払拭体は、繊維束が細かく密集しているほどインキカスを細かくでき、さらに各繊維が基材から長く突出することにより繊維間にインキカスを溜めやすく拭き取りが良好となる一方で、繊維束が長くなることにより、消去具内の磁石から鉄板である白板までの距離が遠くなって、消去具が自重で落下してしまうという問題が生じていた。
特に、大きい白板に使用する消去具は、広い面を消去するために消去具自体も大きく重くなり、安価なフェライト磁石では磁力が足りず、ネオジム磁石のように高価だが磁力が強い磁石が必要とされている。
【０００４】
ところで前記消去具は、長期使用で払拭体に汚れが定着して消去性能が低下した場合、前記磁石を内蔵したスポンジ部材に前記払拭体を装着した古いレフィルをケースから取り外し、交換用として販売されている新しいレフィルと交換を行うものである。
この際、前述の大きい白板に使用する大型の消去具では、古いレフィルと一緒にスポンジ部材に内蔵された高価なネオジム磁石も処分され、新しいレフィルには別の新たなネオジム磁石が必要となってしまうことから、全体としてのコストアップを招いてしまった。
【先行技術文献】
【特許文献】
【０００５】
【特許文献１】特開平８−６７０９６号公報
【発明の概要】
【発明が解決しようとする課題】
【０００６】
本発明では、白板への吸着用に高価な磁石を用いる消去具であっても、全体として安価な構成の白板用の消去具を提供することを目的とする。
【課題を解決するための手段】
【０００７】
本発明は、
「１．基材に繊維束を植毛した立毛布帛を払拭体とした白板用の消去具であって、凹部を有したケースと、スポンジ部材の表面に払拭体を固着した払拭体レフィルと、摘み部と平坦部とを有した保持部材の該平坦部に磁石を固着した磁石ユニットとを備え、前記払拭体レフィルのスポンジ部材に形成した開口に前記磁石ユニットを前記磁石が前記払拭体に隣接するよう着脱可能に挿着し、前記ケースの凹部に前記払拭体レフィルを着脱可能に挿着した構造の白板用の消去具。
２．前記保持部材の平坦部を強磁性体で形成した前記１項に記載の白板用の消去具」である。
【０００８】
本発明の白板用の消去具は、払拭体レフィルから磁石ユニットを取り外して再利用することができるため、ネオジム磁石のように高価な磁石を使用した場合においても、交換用の払拭体レフィルに磁石を具備させて販売する必要がなくなり、結果的に、全体として安価な構成の白板用の消去具を提供することが可能となった。尚、前記ユニットを構成する保持部材の摘み部は、前記払拭体レフィルのスポンジに形成した開口から磁石を取り外す際に用いることはもちろん、払拭体レフィルの交換時に、磁石ユニットを一時的に白板に磁石で吸着させた状態から取り外す場合にも使利である。
さらに、保持部材の平坦部を強磁性体で成形することで、保持部材がヨークとして働くこととなり、磁石の磁力を高めることが可能となる。この場合の強磁性体は鉄が最も好ましく、また保持部材を安価に成形することができる。尚、白板に対して直交する方向の磁力線を発生させるために、磁性体で成形する保持部材の平坦部は、磁石の裏面にのみ配置させることが肝要である。磁石の側面に磁性体が配置されてしまった場合には、白板に対する水平方向の磁力線が発生してしまい、白板への吸着力が減少してしまう虞がある。
【発明の効果】
【０００９】
本発明では、白板への吸着用に高価な磁石を用いる消去具であっても、全体として安価な構成の白板用の消去具を提供することが可能となった。
【図面の簡単な説明】
【００１０】
【図１】本実施例の白板用の消去具を一部断面にて示した図である。
【図２】図１に示した消去具の縦断面図である。
【図３】図１に示した消去具の組立状態を示す図である。
【図４】消去具のケースから、払拭体レフィル及び磁石ユニットを取り外した状態を示す図である。
【図５】払拭体レフィルから磁石ユニットを取り外す状態を示す図である。
【図６】磁石ユニットを白板から引き離す状態を示す図である。
【発明を実施するための形態】
【００１１】
以下、図面を参照して本発明における白板用の消去具について説明を行う。尚、説明を分かりやすくするために、払拭体側を表面側と表現し、その反対側を裏面側と表現する。
【００１２】
以下、図１から図４を用いて本実施例の白板用の消去具について説明を行う。本実施例の消去具１は、凹部２ａを形成したポリスチレン製のケース２と、発泡ウレタンで形成したスポンジ部材３の表面３ａに、ポリエチレンテレフタレート製の基材４ａにナイロン製の繊維束４ｂを植毛した払拭体４を両面粘着テープ（図示せず）で貼り付けて形成した払拭体レフィル５と、摘み部６ａと平坦部６ｂとを有した鉄製の保持部材６の該平坦部６ｂに、ネオジム磁石７を接着した磁石ユニット８とからなる。
【００１３】
ユニット８は、払拭体レフィル５のスポンジ部材３の表裏を貫通する開ロ３ｂに挿着した状態で、ネオジム磁石７を払拭体４に隣接させ、払拭体４側を鉄板製の白板に向けて消去具１が吸着できるようにしてある。また、本実施例の保持部材６の平坦部６ｂは、磁石７の裏面７ａに対して全面で接するようにしてあり、鉄製の平坦部６ｂがヨークとなって、鉄板製の白板に対する吸着力をさらに高めてある。
【００１４】
図２に示すように、保持部材６の摘み部６ａは、平坦部６ｂに対して垂直に起立させており、スポンジ部材３の表裏を貫通するよう形成した開口３ｂにユニット８を挿着した状態においても、摘み部６ａがスポンジ部材の裏面３ｃ側にて露出して摘まみやすくなっている。本実施例では、保持部材６の摘み部６ａをケース２の内底面２ｂに当接させ、ケース２の内底面２ｂに形成したリブ２ｃにスポンジ部材３を当接させるようにしてあることから、摘み部６ａはスポンジ部材３の裏面３ｃから突出して、さらに簡単に摘まめるようになっている。
【００１５】
図４に示すように、ケース２に対して払拭体レフィル５及び磁石ユニット８が着脱可能になっており、図５に示すように、保持部材６の摘み部６ａを摘まんでスポンジ部材３の開ロ３ｂの奥に入ったネオジム磁石７を磁石ユニット８ごと払拭体レフィル５から取り外すことができ、払拭体レフィル５の交換時において、磁石ユニット８の付け替えが容易である。
【００１６】
また、図６に示すように、払拭体レフィル５の交換時において、磁石ユニット８を、鉄板で成形した白板９に一時的に吸着させた場合においても、強力に筆記板９に吸着されたネオジム磁石７を保持部材６の摘み部６ａを摘まんで簡単に引き離すことができた。
【符号の説明】
【００１７】
１…消去具、
２…ケース、２ａ…凹部、２ｂ…内底面、２ｃ…リブ、
３…スポンジ部材、３ａ…表面、３ｂ…開ロ部、３ｃ…裏面、
４…払拭体、４ａ…基材、４ｂ…繊維束、
５…払拭体レフィル、
６…保持部材、６ａ…摘み部、６ｂ…平坦部、
７…ネオジム磁石、７ａ…裏面、
８…磁石ユニット、
９…白板。
【図１】
2016117204.tif 000003
【図２】
2016117204.tif 000004
【図３】
2016117204.tif 000005
【図４】
2016117204.tif 000006
【図５】
2016117204.tif 000007
【図６】
2016117204.tif 000008